(57)【要約】【課題】キャリブレーションモード時のユーザの操作感を向上させるパラメータ設定装置、パラメータ設定方法及びプログラムを提供する。【解決手段】パラメータ設定装置１は、操作子１１と、目盛り１２と、受付部１３と、制御部１４と、を備えている。操作子１１は、ユーザからパラメータ変更の操作を受け付ける。目盛り１２は、操作子１１の基準位置を示す。受付部１３は、キャリブレーションモードの指示を受け付ける。制御部１４は、キャリブレーションモードの指示を受け付けると、基準位置へ操作子１１を移動する。【選択図】図１
2019204991.tif 000002
【特許請求の範囲】
【請求項１】
ユーザからパラメータ変更の操作を受け付ける操作子と、
前記操作子の基準位置を示す目盛りと、
キャリブレーションモードの指示を受け付ける受付部と、
前記キャリブレーションモードの指示を受け付けると、前記基準位置へ前記操作子を移動する制御部と、
を備えたパラメータ設定装置。
【請求項２】
オーディオ信号の処理に用いられる第１の値と、前記操作子の現在の位置を示す第２の値と、を記憶するメモリをさらに備え、
前記制御部は、
前記キャリブレーションモードの指示を受け付けると、前記第２の値を前記基準位置に対応する値に変更する、
請求項１に記載のパラメータ設定装置。
【請求項３】
前記制御部は、キャリブレーションモードを解除する指示を受け付けると、前記第２の値を前記第１の値に変更する、
請求項２に記載のパラメータ設定装置。
【請求項４】
前記目盛りは、前記基準位置から離れるほど分解能が低くなる、
請求項１乃至請求項３のいずれか１項に記載のパラメータ設定装置。
【請求項５】
複数の前記操作子を備え、
前記制御部は、
前記キャリブレーションモードの指示を受け付けると、複数の前記操作子を一括して基準位置へ移動する、
請求項１乃至請求項４のいずれか１項に記載のパラメータ設定装置。
【請求項６】
前記制御部は、
前記操作子の現在の位置が前記基準位置ではない場合に前記キャリブレーションモードの指示を受け付けると、前記基準位置以外の位置にある前記操作子を前記基準位置へ移動する、
請求項５に記載のパラメータ設定装置。
【請求項７】
複数の前記操作子は、それぞれオーディオ信号のチャンネルに対応して、チャンネル毎に前記キャリブレーションモードのＯＮ／ＯＦＦを受け付ける、
請求項１乃至請求項６のいずれか１項に記載のパラメータ設定装置。
【請求項８】
オーディオ信号に非線形処理を施す非線形処理部と、
前記操作子の現在の値に応じて音量を制御する音量制御部と、
前記非線形処理部の後段、かつ前記音量制御部の前段に配置された音量制御コンポーネントと、をさらに備え、
前記音量制御コンポーネントは、前記音量制御部における前記操作子の基準値からの移動量分を補償するように音量を制御する、
請求項１乃至請求項７のいずれか１項に記載のパラメータ設定装置。
【請求項９】
キャリブレーションモードの指示を受け付け、
前記キャリブレーションモードの指示を受け付けると、ユーザからの操作を受け付ける操作子を基準位置へ移動する、
パラメータ設定方法。
【請求項１０】
オーディオ信号の処理に用いられる第１の値と、前記操作子の現在の位置を示す第２の値と、を記憶し、
前記キャリブレーションモードの指示を受け付けると、前記第２の値を前記基準位置に対応する値に変更する、
請求項９に記載のパラメータ設定方法。
【請求項１１】
キャリブレーションモードを解除する指示を受け付けると、前記第２の値を前記第１の値に変更する、
請求項１０に記載のパラメータ設定方法。
【請求項１２】
前記キャリブレーションモードの指示を受け付けると、複数の前記操作子を一括して基準位置へ移動する、
請求項９乃至請求項１１のいずれか１項に記載のパラメータ設定方法。
【請求項１３】
前記操作子の現在の位置が前記基準位置ではない場合に前記キャリブレーションモードの指示を受け付けると、前記基準位置以外の位置にある前記操作子を前記基準位置へ移動する、
請求項１２に記載のパラメータ設定方法。
【請求項１４】
複数の前記操作子は、それぞれオーディオ信号のチャンネルに対応して、チャンネル毎に前記キャリブレーションモードのＯＮ／ＯＦＦを受け付ける、
請求項９乃至請求項１３のいずれか１項に記載のパラメータ設定方法。
【請求項１５】
キャリブレーションモードの指示を受け付ける処理と、
前記キャリブレーションモードの指示を受け付けると、ユーザからの操作を受け付ける操作子を基準位置へ移動する処理と、
をパラメータ設定装置に実行させるプログラム。
【発明の詳細な説明】
【技術分野】
【０００１】
この発明は、パラメータを設定するパラメータ設定装置、パラメータ設定方法及びプログラムに関する。
【背景技術】
【０００２】
特許文献１〜３には、オーディオ信号の処理に用いるパラメータの制御装置等が開示されている。特許文献１〜３のパラメータの制御装置等においては、フェーダ調整時に、パラメータを設定するための操作子の位置に応じて、操作子の位置を示す目盛りの倍率や分解能の曲線を変化させている。特許文献４には、フェーダ調整時に、操作子の位置を一度中央の位置に揃えるパラメータの制御装置が開示されている。
【先行技術文献】
【特許文献】
【０００３】
【特許文献１】特開２０１１−１１４４６６号公報
【特許文献２】国際公開２００８／１２６１２８号公報
【特許文献３】特開２００８−１９９２５９号公報
【特許文献４】特開平３−５８３５０号公報
【発明の概要】
【発明が解決しようとする課題】
【０００４】
特許文献１〜４には、フェーダ調整時において、フェーダの位置を基準の位置に移動させてから行うものはない。そこで、この発明は、キャリブレーションモード時のユーザの操作感を向上させるパラメータ設定装置、パラメータ設定方法及びプログラムを提供することを目的とする。
【課題を解決するための手段】
【０００５】
この発明の一実施形態であるパラメータ設定装置は、操作子と、目盛りと、受付部と、制御部と、を備えている。操作子は、ユーザからパラメータ変更の操作を受け付ける。目盛りは、前記操作子の基準位置を示す。受付部は、キャリブレーションモードの指示を受け付ける。制御部は、前記キャリブレーションモードの指示を受け付けると、前記基準位置へ前記操作子を移動する。
【発明の効果】
【０００６】
この発明の一実施形態によれば、キャリブレーションモード時のユーザの操作感を向上できる。
【図面の簡単な説明】
【０００７】
【図１】第１実施形態に係るパラメータ設定装置１の構成を示すブロック図である。
【図２】パラメータ設定装置１の操作部１０の一例を示す図である。
【図３】パラメータ設定装置１の操作部１０の一例を示す図である。
【図４】第１実施形態に係るパラメータ設定装置１の動作を示すフローチャートである。
【図５】第２実施形態に係るミキサ４の構成を示すブロック図である。
【図６】信号処理部４４、オーディオＩ／Ｏ４３、及びＣＰＵ４８で行われる信号処理の等価ブロック図である。
【図７】ある入力チャンネルｉのブロック構成を示した図である。
【図８】第２実施形態に係るミキサ４の操作パネルを示す図である。
【図９】ユーザが入操作パネルのオンボタン６０２を操作した場合のミキサ４の動作を示すフローチャートである。
【図１０】キャリブレーションモードにおけるミキサ４の操作パネルの表示の一例を示す図である。
【図１１】ユーザがフェーダ６０１を操作した時のミキサ４の動作を示すフローチャートである。
【図１２】ミキサ４の操作パネルのキャリブレーションモード時の一例を示す図である。
【図１３】ユーザが入力チャンネル１のオンボタン６０２を操作した場合のミキサ４の動作を示すフローチャートである。
【図１４】ミキサ４の操作パネルのキャリブレーションモードを解除した場合の一例を示す図である。
【図１５】第２実施形態の変形例１の操作パネルを示す図である。
【図１６】ユーザがＡＬＬオンボタン６４０を操作した場合のミキサの動作を示すフローチャートである。
【図１７】第２実施形態の変形例２における入力チャンネルｉのブロック構成を示した図である。
【発明を実施するための形態】
【０００８】
図１は第１実施形態に係るパラメータ設定装置の構成を示すブロック図であり、図２及び図３はパラメータ設定装置の操作部の一例を示す図である。
【０００９】
図１に示すように、第１実施形態に係るパラメータ設定装置１は、ハードウェア構成として操作子１１、受付部１３、及びＣＰＵ１４を備えている。ＣＰＵ１４は、受付部１３、及び操作子１１に接続されている。なお、パラメータ設定装置１においては、ＣＰＵ１４が本発明における「制御部」の一例である。
【００１０】
パラメータ設定装置１は、例えば筐体の一部に図２に示すような音響機器の操作パネルの一部である操作部１０を備える。操作部１０は、受付部１３と、スライダ１５とを備える。スライダ１５は、操作子１１と、目盛り１２とを備える。操作子１１は、スライダ１５の可動部分であり、いわゆるフェーダである。操作子１１は、不図示のモータ等を用いて駆動する。操作子１１は、手動又は電動で目盛り１２に沿って上下にスライド可能である。なお、パラメータ設定装置１はフェーダを備える構成に限られず、例えば、タッチパネルを備える構成等であってもよい。この場合、パラメータ設定装置１はタッチパネルを介してユーザの指示を受け付ける。
【００１１】
図２に示すように、操作部１０において目盛り１２は、ゲイン（単位はｄＢ）を示している。目盛り１２は、−∞ｄＢから＋６ｄＢの範囲で示されている。ゲインが−∞ｄＢの時、無音の状態であり、ゲインが増えるにつれボリュームが増大する。このため、ユーザが操作子１１を操作することにより、ボリュームに関するパラメータが変更される。例えば、ユーザは、操作子１１を把持してスライドさせることにより、操作子１１の位置に応じて、ボリュームに関するパラメータを変更することができる。なお、操作子１１は、フェーダに限られず、例えば、スイッチ、又はロータリーエンコーダ等であってもよい。
【００１２】
目盛り１２は、操作子１１の基準位置を示す。パラメータ設定装置１において、基準位置は０ｄＢの位置である。なお、基準位置は、各パラメータ設定装置において適宜設定されるものであり、０ｄＢの位置である状態に限られない。
【００１３】
図２に示すように、受付部１３は、パラメータ設定装置１の筐体の一部に設けられたスイッチであり、ユーザの操作を受け付ける。受付部１３は、ユーザからキャリブレーションモードの指示を受け付ける。キャリブレーションモードとは、操作子１１を基準位置に戻してパラメータを調整するモードである。キャリブレーションモードは、操作子１１の見た目の位置を基準位置である０ｄＢに移動するが、実際のボリュームを変化させない状態である。
【００１４】
受付部１３は、ユーザからキャリブレーションモードの指示を受け付けると、ＣＰＵ１４にキャリブレーションモードの指示を通知する。なお、受付部１３はスイッチに限られず、例えば、ロータリーエンコーダであってもよい。
【００１５】
ＣＰＵ１４は、記憶媒体である不図示のメモリに記憶されているプログラムを読み出して、所定の機能を実現する。ここで、受付部１３でキャリブレーションモードの指示を受け付ける前において、図２に示すように操作子１１の位置が−１０ｄＢである場合について以下説明する。
【００１６】
ＣＰＵ１４は、受付部１３からキャリブレーションモードの指示を受け付けると、図３に示すように、操作子１１を基準位置である０ｄＢの位置へ移動する。このとき実際のボリュームは−１０ｄＢのままである。しかし、ユーザは０ｄＢを基準にしてボリュームを調整することができる。
【００１７】
実際のボリュームのレベルを維持するために、パラメータ設定装置１は、例えば、操作子１１の操作に応じてボリューム制御を行うボリューム制御回路（不図示）の前段に、補償回路（不図示）を備える。補償回路は、キャリブレーションモードにおいて、ボリューム制御回路による変化をキャンセルする処理を行う。例えば、ボリューム制御回路が＋１０ｄＢのレベル変化処理を行った場合、補償回路は−１０ｄＢのレベル変化処理を行う。これにより、パラメータ設定装置１は、キャリブレーションモードにおいて、操作子１１の見た目を基準位置である０ｄＢに移動させ、かつ実際のボリュームを変化させないことができる。ユーザは、現在のボリュームを維持したまま操作子１１を基準位置である０ｄＢから操作できるため、直感的に移動量を把握し易い。従って、パラメータ設定装置１は、キャリブレーションモード時のユーザの操作感を向上できる。
【００１８】
次に、ＣＰＵ１４が操作子１１を基準位置へ移動する制御の方法、すなわちパラメータ設定方法について、図２、図３及び図４を参照して説明する。図４は、第１実施形態に係るパラメータ設定装置の動作を示すフローチャートである。
【００１９】
初めに、図２に示すように、操作子１１が目盛り１２の−１０ｄＢの位置にある状態を想定する。まず、ＣＰＵ１４は、受付部１３を介して、キャリブレーションモードの指示を受け付けたか否かを判断する（Ｓ１１）。
【００２０】
ＣＰＵ１４は、キャリブレーションモードの指示を受け付けていない場合（Ｓ１１がＮｏの場合）、操作子１１の位置をそのまま−１０ｄＢに維持する。
【００２１】
ＣＰＵ１４は、キャリブレーションモードの指示を受け付けた場合（Ｓ１１がＹｅｓの場合）、操作子１１を基準位置へ移動する（Ｓ１２）。例えば、ＣＰＵ１４は、操作子１１を−１０ｄＢの位置から図３に示す基準位置（０ｄＢの位置）へ移動するように不図示のモータ等の駆動装置に指示する。不図示の駆動装置は、操作子１１を基準位置へ移動する。
【００２２】
この場合、操作子１１の見た目の位置は基準位置である０ｄＢに変更されるが、実際のボリュームは−１０ｄＢのままである。これにより、ユーザは、現在のボリュームを維持したまま操作子１１を基準位置である０ｄＢから操作できるため、直感的に移動量を把握し易い。従って、パラメータ設定装置１は、キャリブレーションモード時のユーザの操作感を向上できる。
【００２３】
なお、図２の例では、目盛り１２は、基準位置（０ｄＢ）から離れるほど分解能が低い。言い換えると、目盛り１２は、基準位置（０ｄＢ）付近において分解能が高い。キャリブレーションモードでは、ユーザは分解能が高い領域で操作子１１を操作できる。このため、パラメータ設定装置１は、キャリブレーションモード時のユーザの操作感をさらに向上できる。また、「基準位置から離れるほど分解能が低くなる」とは、基準位置（０ｄＢ）からの距離に対して直線的、若しくは曲線的、又は段階的に変化するものであってもよい。
【００２４】
図５は、第２実施形態に係るミキサ（デジタルミキサ）４の一例の構成を示すブロック図である。図５に示すように、ミキサ４は、表示器４１、操作部４２、オーディオＩ／Ｏ４３、信号処理部４４、駆動部４５、モータ４６、ＣＰＵ４８、フラッシュメモリ４９、及びＲＡＭ２０を備えている。これら構成は、モータ４６を除いてバス２１０を介して接続されている。モータ４６は、駆動部４５と接続されている。
【００２５】
ＣＰＵ４８は、ミキサ４の動作を制御する。ＣＰＵ４８は、記憶媒体であるフラッシュメモリ４９に記憶された所定のプログラムをＲＡＭ２０に読み出して実行することにより各種の動作を行なう。例えば、ＣＰＵ４８は、オーディオＩ／Ｏ４３における音信号の入出力や、信号処理部４４におけるミキシング処理、エフェクト処理の制御、及びそれらに関連するパラメータの値の変更等を行う。また、ＣＰＵ４８は、本発明における「制御部」の一例である。
【００２６】
ＣＰＵ４８は、操作部４２からキャリブレーションモードの指示又はキャリブレーションモードを解除する指示を受け付ける。ＣＰＵ４８は、キャリブレーションモード又はキャリブレーションモードの解除の指示を操作部４２から受け付けると、駆動部４５にモータ４６を駆動させる指示をする。駆動部４５は、ＣＰＵ４８からの指示を受けてモータ４６を駆動する。
【００２７】
フラッシュメモリ４９は、オーディオ信号の処理に用いられるパラメータの値（第１の値）、又は操作部４２における操作子の現在の位置を示す情報（第２の値）等を記憶する。これら情報は、ＲＡＭ２０に記憶されてもよい。
【００２８】
信号処理部４４は、ミキシング処理又はエフェクト処理等の各種信号処理を行なうための複数のＤＳＰ（Digital Signal Processor）から構成される。信号処理部４４は、オーディオＩ／Ｏ４３から供給される音信号に、ミキシング処理、又はエフェクト処理等の信号処理を施す。信号処理部４４は、信号処理後のデジタル音信号を、オーディオＩ／Ｏ４３を介して出力する。
【００２９】
図６は、信号処理部４４、オーディオＩ／Ｏ４３、及びＣＰＵ４８で行われる信号処理３０の機能ブロック図である。図６に示すように、信号処理３０は、入力チャンネル３２、第１バス（＃１バス）３３、第２バス（＃２バス）３４、第１出力チャンネル（＃１出力チャンネル）３５、１６の第２出力チャンネル（＃２出力チャンネル）３６、及び出力パッチ３７等のブロックを備える。この例では、入力チャンネル３２は、１−３２のチャンネルを有する。＃１バス３３は１のステレオであり、＃２バス３４は１６のステレオである。第１出力チャンネル３５は第１バスに対応し、第２出力チャンネル３６は＃２バスに対応する。
【００３０】
入力チャンネル３２の各入力チャンネルｉには、入力パッチ３１からオーディオ信号が供給される。図７は、ある入力チャンネルｉのブロック構成を示す図である。入力チャンネルｉは、信号処理ブロック３２１において、入力パッチ３１から供給されたオーディオ信号に対して、イコライザ（ＥＱ）のような線形処理、又はコンプレッサ（ＣＯＭＰ）等のような非線形処理の信号処理を施す。信号処理ブロック３２１は、オーディオ信号にはコンプレッサ（ＣＯＭＰ）等のような非線形処理の信号処理を施す非線形処理部の一例である。また、入力チャンネル３２の各入力チャンネルｉは、信号処理後のオーディオ信号を、後段のバス（＃１バス３３及び＃２バス３４）のいずれか１乃至複数へ選択的に送出する。
【００３１】
入力チャンネルｉが送出するオーディオ信号のレベルは、ユーザによりバス毎に個別に調整される。例えば、＃１バス３３に送出されるオーディオ信号は、レベル調整ブロック３２２において、レベル調整される。レベル調整ブロック３２２は、音量制御部３２５を備えている。この音量制御部３２５は、フェーダの位置に対応してオーディオ信号のレベル調整を行い、音量を制御する。
【００３２】
また、＃２バス３４に送出されるオーディオ信号は、＃２バス３４の各チャンネルに設けられたレベル調整ブロック３２３において、レベル調整される。レベル調整ブロック３２３は、センドボリューム（ＳＮＤ＿Ｌ）を備えている。
【００３３】
なお、＃２バス３４に送出されるオーディオ信号は、セレクタ（図中におけるＰＰ）において、レベル調整ブロック３２２を回避することも可能である。また、＃１バス３３への出力には、出力側スイッチ（Ｔｏ＿＃１）及び２チャンネル間のパニングブロック（ＰＡＮ）が設けられている。
【００３４】
＃１バス３３及び＃２バス３４は、供給されるオーディオ信号をそれぞれミキシングして、対応する＃１出力チャンネル３５及び＃２出力チャンネル３６へ出力する。＃１出力チャンネル３５及び＃２出力チャンネル３６の各チャンネルは、入力されるオーディオ信号に対して、イコライザ、又はコンプレッサ等の信号処理を施す。信号処理を施された後のオーディオ信号は、オーディオＩ／Ｏ４３に供給される。
【００３５】
レベル調整ブロック３２２のレベル値、レベル調整ブロック３２３のレベル値、及び信号処理ブロック３２１の各パラメータの値は、ミキサ４の操作パネルに設けられたタッチスクリーン、フェーダ、ノブ、又はボタン等をユーザが操作することにより、変更される。
【００３６】
図８は、ミキサ４の操作パネルの一例を示す図である。ミキサ４の操作パネル上には、図８に示すように、タッチスクリーン５１、チャンネルストリップ６０、及びＬＲチャンネルストリップ６１等が設けられている。これら構成は、図５に示した操作部４２に相当する。
【００３７】
タッチスクリーン５１は、操作部４２の一態様であるタッチパネルを積層した表示器４１であり、ユーザの操作を受け付けるためのＧＵＩ（グラフィカルユーザインタフェース）画面を表示する。この例では、タッチスクリーン５１は、下部の現在値表示エリア５０１に現在のフェーダ値を表示する。左側のブロックでは、各チャンネルの現在のフェーダ値（ＣＦ（ｉ））、が表示され、右側のブロックでは、Ｌチャンネル及びＲチャンネル用のフェーダ値（ＤＦ（ｇ））が表示されている。なお、現在値表示エリア５０１は、タッチスクリーン５１とは別に専用の表示器として設けられていてもよい。
【００３８】
チャンネルストリップ６０、ＬＲチャンネルストリップ６１は、１つのチャンネルに対する操作を受け付ける複数の操作子を縦に並べて配置した領域である。この図では、チャンネルストリップ６０においてはチャンネル毎に、フェーダ６０１、オン（ＯＮ）ボタン６０２、及びノブ６０３が配置されている。また、ＬＲチャンネルストリップ６１においてはチャンネル毎に、フェーダ６１１、オンボタン６１２、及びノブ６０３が配置されている。操作パネル上には、図８に示すボタン及びノブ以外に、任意の数のノブやボタン等が設けられていてもよい。なお、フェーダ６０１、フェーダ６１１は、本発明における「操作子」の一例である。また、オンボタン６０２、オンボタン６１２は、本発明における「受付部」の一例であり、ノブ６０３、ノブ６１３は、本発明における「操作子」の一例である。ノブ６０３、ノブ６１３は、この例では、センドボリューム（ＳＮＤ＿Ｌ）を調整するためのノブである。
【００３９】
この例では、チャンネルストリップ６０のうち、左側の複数（例えば８個）のストリップには、それぞれ入力チャンネル（左側から順に、入力チャンネル１、入力チャンネル２、入力チャンネル３・・・）が割り当てられている。右側の２つのＬＲチャンネルストリップ６１には、それぞれＬチャンネル又はＲチャンネル用が割り当てられている。
【００４０】
フラッシュメモリ４９は、オーディオ信号の信号処理に用いられる音量制御部３２５のボリューム（Ｖｏｌ）用の値（第１の値）と、操作部４２におけるフェーダ６０１、フェーダ６１１の現在の位置を示す値（第２の値）と、を記憶する。
【００４１】
この例では、オンボタン６０２、又はオンボタン６１２は、チャンネル毎に１つ設けられている。オンボタン６０２、又はオンボタン６１２は、押されることによりＯＮ／ＯＦＦの切り替えを行う。オンボタン６０２、又はオンボタン６１２は、ＯＮの時に例えば、点灯させてもよい。また、オンボタン６０２又はオンボタン６１２がＯＮの時、対応するチャンネルのフェーダ６０１又はフェーダ６１１自体を点灯させてもよい。これにより、ユーザは、現時点でのミキサ４の状態（キャリブレーションモードであるか否か）をより把握し易くなる。なお、チャンネルストリップ６０、ＬＲチャンネルストリップ６１は、オンボタン６０２、又はオンボタン６１２の代わりに、チャンネル毎にオンボタン及びオフボタンからなるボタン対を備えていてもよい。
【００４２】
図９は、ユーザが入力チャンネル１のオンボタン６０２を操作した場合のミキサ４の動作を示すフローチャートである。図１０は、キャリブレーションモードにおけるミキサ４の操作パネルの表示の一例を示す図である。
【００４３】
初めに、図８の入力チャンネル１に示すように、フェーダ６０１が−５ｄＢの位置にある状態を想定する。ＣＰＵ４８は、現在値表示エリア５０１に、現在の実際のフェーダ６０１の位置を示し、かつオーディオ信号の処理に用いられる第１の値（−５ｄＢ）を表示する。まず、ＣＰＵ４８は、オンボタン６０２を介して、キャリブレーションモードの指示を受け付けたか否かを判断する（Ｓ２１）。
【００４４】
ＣＰＵ４８は、キャリブレーションモードの指示を受け付けていない場合（Ｓ２１がＮｏの場合）、フェーダ６０１の位置をそのまま−５ｄＢに維持する。
【００４５】
ＣＰＵ４８は、オンボタン６０２が押されてキャリブレーションモードの指示を受け付けた場合（Ｓ２１がＹｅｓの場合）、フェーダ６０１の現在の位置を示す第１の値（−５ｄＢ）を固定させる（Ｓ２２）。このため、現在値表示エリア５０１に示す第１の値は、−５ｄＢから変化しない。
【００４６】
引き続き、ＣＰＵ４８は、駆動部４５にモータ４６を駆動させる指示をすることにより、図１０に示すように、フェーダ６０１を基準位置（０ｄＢ）へ移動する（Ｓ２３）。すなわち、第２の値は０ｄＢへ移動する。ＣＰＵ４８は、駆動部４５に、フェーダ６０１を＋５ｄＢ分だけモータ４６を駆動するための指示をする。駆動部４５は、ＣＰＵ４８からの指示を受けてフェーダ６０１を０ｄＢの位置に移動させる。
【００４７】
この場合、フェーダ６０１の見た目の位置である第２の値は、基準位置である０ｄＢに変更されるが、実際のボリュームに関る第１の値は初期値である−５ｄＢに固定されたままである。これにより、ユーザは、現在のボリュームを維持したままフェーダ６０１を基準位置である０ｄＢから操作できるため、直感的に移動量を把握し易い。従って、ミキサ４は、キャリブレーションモード時のユーザの操作感を向上できる。
【００４８】
フェーダ６０１を基準位置（０ｄＢ）へ移動させた場合、ＣＰＵ４８は、フラッシュメモリ４９に、第１の値を初期値として、−５ｄＢを記憶させる（Ｓ２４）。これにより、見た目の位置ではなく、ＣＰＵ４８は、フラッシュメモリ４９からキャリブレーションモード時の実際のボリューム値である初期値を読み出すことができる。
【００４９】
図１１は、ユーザがある入力チャンネル１のフェーダ６０１を操作した場合のミキサ４の動作を示すフローチャートである。図１２は、ミキサ４の操作パネルのキャリブレーションモード時の一例を示す図である。
【００５０】
例えば、キャリブレーションモードにおいて、ユーザがフェーダ６０１を基準位置（０ｄＢ）から−１０ｄＢ移動する場合について説明する。初めに、図１０に示すように、フェーダ６０１は、０ｄＢの位置にある。すなわち、フェーダ６０１の見た目の位置である第２の値は、０ｄＢである。このとき、実際のボリュームに関る第１の値は初期値である−５ｄＢのままである。まず、ＣＰＵ４８は、フェーダ６０１がユーザから操作を受け付けたか否かを判断する（Ｓ３１）。
【００５１】
ＣＰＵ４８は、フェーダ６０１がユーザから操作を受け付けていない場合（Ｓ３１がＮｏの場合）、フェーダ６０１の位置をそのまま０ｄＢに維持する。
【００５２】
ＣＰＵ４８は、フェーダ６０１がユーザから操作を受け付けた場合、（Ｓ３１がＹｅｓの場合）、フェーダ６０１の現在の位置を示す第２の値を読み出す（Ｓ３２）。例えば、図１２に示すように、ユーザがフェーダ６０１を０ｄＢから−１０ｄＢに移動した場合について説明する。この場合、フェーダ６０１における見かけの位置を示す第２の値は、−１０ｄＢである。ＣＰＵ４８は、第２の値である−１０ｄＢを読み出す。
【００５３】
ＣＰＵ４８は、フラッシュメモリ４９から、第１の値である初期値（−５ｄＢ）を読み出す（Ｓ３３）。次に、ＣＰＵ４８は、第２の値（−１０ｄＢ）に初期値（−５ｄＢ）を加算する（Ｓ３４）。すると、オーディオ信号の処理に用いられる第１の値は、−５ｄＢに−１０ｄＢを加えた−１５ｄＢになる。ＣＰＵ４８は、現在値表示エリア５０１に、オーディオ信号の処理に用いられる新たな第１の値として−１５ｄＢを表示する。ＣＰＵ４８は、得られた−１５ｄＢを第１の値として、音量制御部３２５にオーディオ信号のレベル調整を行わせる。
【００５４】
この場合、フェーダ６０１の見た目の位置である第２の値は、−１０ｄＢに変更されるが、実際の音量制御部３２５で処理するための第１の値は−１５ｄＢである。これにより、ユーザは、フェーダ６０１を基準位置である０ｄＢからどのくらい移動させたかをフェーダ６０１の見た目の位置である第２の値を確認することにより、直感的に移動量を把握できる。また、ユーザは、現在値表示エリア５０１を確認することにより、実際の音量制御部３２５用のオーディオ信号の処理に用いられる新たな第１の値を把握できる。従って、ミキサ４は、キャリブレーションモード時のユーザの操作感を向上できる。
【００５５】
図１３は、ユーザが入力チャンネル１のオンボタン６０２を操作した場合のミキサ４の動作を示すフローチャートである。図１４は、ミキサ４の操作パネルのキャリブレーションモードを解除した場合の一例を示す図である。ここでは、オンボタン６０２の操作によりキャリブレーションモードを解除する場合について説明する。
【００５６】
初めに、図１２の入力チャンネル１に示すように、フェーダ６０１が−１０ｄＢの位置にある状態を想定する。このため、フェーダ６０１の見た目の位置である第２の値は、−１０ｄＢである。また、このときオーディオ信号の処理に用いられる第１の値は、−１５ｄＢであり、現在値表示エリア５０１に表示されている。まず、ＣＰＵ４８は、オンボタン６０２を介して、キャリブレーションモードの解除の指示を受け付けたか否かを判断する（Ｓ４１）。
【００５７】
ＣＰＵ４８は、キャリブレーションモードの解除の指示を受け付けていない場合（Ｓ４１がＮｏの場合）、フェーダ６０１の位置をそのまま−１０ｄＢに維持する。
【００５８】
ＣＰＵ４８は、オンボタン６０２が押されてキャリブレーションモードの解除の指示を受け付けた場合（Ｓ４１がＹｅｓの場合）、フェーダ６０１の見た目の位置である第２の値（−１０ｄＢ）を、オーディオ信号の処理に用いられる第１の値（−１５ｄＢ）で上書きする（Ｓ４２）。すなわち、ＣＰＵ４８は、第２の値を、現実のオーディオ信号の処理に用いられる第１の値に変更する。また、ＣＰＵ４８は、駆動部４５にモータ４６を駆動させる指示をすることにより、図１４に示すように、フェーダ６０１を第１の値である−１５ｄＢへ移動する。
【００５９】
この場合、フェーダ６０１の見た目の位置である第２の値は、実際の音量制御部３２５でオーディオ信号の処理に用いられる第１の値と同じ−１５ｄＢとなる。これにより、ユーザは、オンボタン６０２を解除する操作のみで、フェーダ６０１の位置を実際の音量制御部３２５でオーディオ信号の処理に用いられる第１の値へと移動することができる。
【００６０】
図１５は、第２実施形態に係るミキサ（デジタルミキサ）の変形例１の操作パネルを示す図である。第２実施形態の変形例１においては、第２実施形態係るミキサ４と異なる箇所のみの説明を行い、その他は省略する。
【００６１】
図１５に示すように、第２実施形態の変形例１に係るミキサの操作パネル上には、オンボタン６０２及びオンボタン６１２に加えてＡＬＬオンボタン６４０が設けられている。
【００６２】
ＡＬＬオンボタン６４０は、押されることによりＯＮ／ＯＦＦの切り替えを行う。ここで、ＡＬＬオンボタン６４０は、チャンネルストリップ６０及びＬＲチャンネルストリップ６１における全てのチャンネルのオンボタン６０２及びオンボタン６１２を一括してＯＮ／ＯＦＦの切り替えを行う。
【００６３】
図１６は、ユーザがＡＬＬオンボタン６４０を操作した場合のミキサの動作を示すフローチャートである。
【００６４】
まず、ＣＰＵ４８は、ＡＬＬオンボタン６４０が操作を受け付けたか否かを判断する（Ｓ５１）。ＣＰＵ４８は、ＡＬＬオンボタン６４０が操作を受け付けていない場合（Ｓ５１がＮｏの場合）、チャンネルストリップ６０及びＬＲチャンネルストリップ６１における全てのチャンネルのフェーダ６０１及びフェーダ６１１の位置をそのまま維持する。
【００６５】
ＣＰＵ４８は、ＡＬＬオンボタン６４０が押されて、すなわちＡＬＬオンボタン６４０が操作を受け付けた場合（Ｓ５１がＹｅｓの場合）、フェーダ６０１及びフェーダ６１１の位置が全て基準位置（０ｄＢ）であるか否かを判断する（Ｓ５２）。
【００６６】
ＣＰＵ４８は、フェーダ６０１及びフェーダ６１１の位置が全て基準位置（０ｄＢ）である場合（Ｓ５２がＹｅｓの場合）、キャリブレーションモードを解除する（Ｓ５３）。
【００６７】
例えば、図８、図１０、図１２、図１４、又は図１５に示すＬＲチャンネルストリップ６１のフェーダ６１１の様に、フェーダ６０１及びフェーダ６１１の位置が全て０ｄＢに揃っている場合、全てのフェーダ６０１及び全てのフェーダ６１１の見かけの位置を示す第２の値は０ｄＢである。ＣＰＵ４８は全てのフェーダ６０１及び全てのフェーダ６１１の第２の値を読み出す。全てのフェーダ６０１及び全てのフェーダ６１１から読み出された第２の値が０ｄＢのみである場合、ＣＰＵ４８はミキサをキャリブレーションモードであると判断する。これにより、ＣＰＵ４８は、ミキサのキャリブレーションモードを解除することができる。
【００６８】
ＣＰＵ４８は、フェーダ６０１及びフェーダ６１１の位置が全て基準位置（０ｄＢ）でない場合（Ｓ５２がＮｏの場合）、キャリブレーションモードにする（Ｓ５４）。
【００６９】
例えば、図１５に示すような場合を想定する。図１５に示すような場合において、少なくとも入力チャンネル１、入力チャンネル２及び入力チャンネル８のフェーダ６０１の見かけの位置を示す第２の値は０ｄＢではない。全てのフェーダ６０１及び全てのフェーダ６１１から読み出された第２の値が０ｄＢ以外を含む場合、ＣＰＵ４８はミキサをキャリブレーションモードでないと判断する。このため、ＣＰＵ４８は、ミキサをキャリブレーションモードとすべく、キャリブレーションモードをオンにすることができる。
【００７０】
このように、ＡＬＬオンボタン６４０は、全てのフェーダ６０１及び全てのフェーダ６１１のキャリブレーションモードのＯＮ／ＯＦＦの切り替えを一括して行うことができる。なお、ＡＬＬオンボタン６４０は、全てのフェーダ６０１及び全てのフェーダ６１１を一括して切り替えるものであるが、チャンネルストリップ６０の全てのフェーダ６０１又はＬＲチャンネルストリップ６１全てのフェーダ６１１毎に一括して切り替えるものであってもよい。また、全てのフェーダ６０１及び全てのフェーダ６１１の現在の位置に関係なく、ＡＬＬオンボタン６４０の操作によってキャリブレーションモードのＯＮ／ＯＦＦの切り替えを一括して行うことも可能である。
【００７１】
図１７は、第２実施形態の変形例２における入力チャンネルｉのブロック構成を示した図である。第２実施形態の変形例２においては、第２実施形態係るミキサ４と異なる箇所のみの説明を行い、その他は省略する。
【００７２】
図１７示すように、第２実施形態の変形例２に係る入力チャンネルｉのブロック構成は、音量制御コンポーネント３５２をさらに備える。音量制御コンポーネント３５２は、信号処理ブロック３２１の後段、かつ音量制御部３２５の前段に配置されている。信号処理ブロック３２１は、「非線形処理部」の一例である。
【００７３】
入力チャンネル３２の各入力チャンネルｉは、信号処理ブロック３２１において、オーディオ信号にコンプレッサ（ＣＯＭＰ）等のような非線形処理の信号処理を施す。入力チャンネルｉが＃１バス３３に送出するオーディオ信号は、レベル調整ブロック３２２においてバス毎にレベル調整される。
【００７４】
キャリブレーションモードで、音量制御コンポーネント３５２は、音量制御部３２５におけるフェーダの基準値（０ｄＢ）からの移動量分を補償するように音量を制御する。例えば、ＣＰＵ４８は、オンボタン６０２を介してキャリブレーションモードの指示を受け付けると、図８及び図１０に示すように、フェーダ６０１を−５ｄＢから基準位置である０ｄＢの位置へ移動する。この場合、音量制御部３２５は＋５ｄＢのレベル変化処理を行う。音量制御コンポーネント３５２は−５ｄＢのレベル変化処理を行う。これにより、実際のボリュームは−５ｄＢのままに維持される。
【００７５】
この場合において、音量制御コンポーネント３５２は、音量制御部３２５の前段であり信号処理ブロック３２１の後段に配置されているため、信号処理ブロック３２１における処理の影響を抑制することができる。また、音量制御コンポーネント３５２は、音量制御部３２５の直前に設けられることが好ましい。これにより、音量制御コンポーネント３５２及び音量制御部３２５の間で他のオーディオ信号の処理がされないために、音量制御コンポーネント３５２は、より正確にフェーダの基準値からの移動量分を補償することができる。
【００７６】
なお、上述の例では、ミキサの操作パネル上に設けられたフェーダについて説明したが、物理的なフェーダは一例に過ぎない。フェーダは、例えば、タッチスクリーンに表示されるものであってもよい。この場合、フェーダはＧＵＩを介して、ユーザからの操作を受け付ける。この例においては、フェーダの現在の位置を示す情報（第２の値）と、オーディオ信号の処理に用いられるパラメータの値（第１の値）と、を異なる態様で表示してもよい。例えば、第２の値を示すフェーダの表示に対して、第１の値を示すフェーダを破線で表示、又は第２の値を示すフェーダの表示より薄く表示することが挙げられる。なお、タッチスクリーンに表示する場合においても、第２の値を数値として表示してもよく、さらには、第１の値を数値で表示してもよい。
【００７７】
なお、上述の例では、操作子として入力チャンネル用及びＬＲチャンネル用のボリューム調整するフェーダについて説明したが、入力チャンネル用のフェーダは一例に過ぎない。フェーダは、例えば、出力チャンネル用、又はＤＣＡ（Digital Controlled Amplifier）用等であってよい。
【００７８】
本実施形態の説明は、すべての点で例示であって、制限的なものではない。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００７９】
１…パラメータ設定装置
４…ミキサ（パラメータ設定装置）
１１…操作子
１２…目盛り
１３…受付部
１４、４８…制御部
３０…信号処理
３１…入力パッチ
３２…入力チャンネル
３３…第１バス
３４…第２バス
３５…第１出力チャンネル
３６…第２出力チャンネル
３７…出力パッチ
４１…表示器
４２…操作部
４４…信号処理部
４５…駆動部
４６…モータ
４８…制御部
４９…フラッシュメモリ
５１…タッチスクリーン
６０…チャンネルストリップ
６１…ＬＲチャンネルストリップ
２１０…バス
３２１…信号処理ブロック
３２２…レベル調整ブロック
３２３…レベル調整ブロック
３２５…音量制御部
３５２…音量制御コンポーネント
５０１…現在値表示エリア
６０１…フェーダ（操作子）
６０２…オンボタン（受付部）
６０３…ノブ
６１１…フェーダ（操作子）
６１２…オンボタン（受付部）
６１３…ノブ
６４０…ＡＬＬオンボタン（受付部）
【図１】
2019204991.tif 000003
【図２】
2019204991.tif 000004
【図３】
2019204991.tif 000005
【図４】
2019204991.tif 000006
【図５】
2019204991.tif 000007
【図６】
2019204991.tif 000008
【図７】
2019204991.tif 000009
【図８】
2019204991.tif 000010
【図９】
2019204991.tif 000011
【図１０】
2019204991.tif 000012
【図１１】
2019204991.tif 000013
【図１２】
2019204991.tif 000014
【図１３】
2019204991.tif 000015
【図１４】
2019204991.tif 000016
【図１５】
2019204991.tif 000017
【図１６】
2019204991.tif 000018
【図１７】
2019204991.tif 000019